(57)【要約】【課題】ベルトのバックルの提供。【解決手段】ベルトのバックルは端面が凹槽を形成し、キャリアを枢設定位し、且つ、九アリアは自由に翻転し、前記キャリアの端頭はノッチを形成すると共に、容置空間を有し、承体の容置定位を提供する。承体は容置空間に位置すると共に、自由に嵌入、或いは、取り出しできる。【選択図】    図３
2008142105.tif 000002
【特許請求の範囲】
【請求項１】
ベルトのバックルであって、前記バックルの端面は凹槽を形成し、前記凹槽はキャリアを枢設定位し、前記キャリアの前端縁はノッチを設置し、前記キャリア中間に容置空間を形成し、且つ、前記容置空間は、承体を嵌入定位することを特徴とするバックル。
【請求項２】
前記バックルの端面はパターンが描かれるか貼設することができることを特徴とする請求項１に記載のバックル。
【請求項３】
前記凹層の二側は対応する開口を設置することを特徴とする請求項１に記載のバックル。
【請求項４】
前記バックルのキャリアのノッチにノッチ槽を設置し、承体の端面は突出物を形成することを特徴とする請求項１に記載のバックル。
【請求項５】
ベルトのバックルであって、前記バックルの端面は凹槽を形成し、前記凹槽はキャリアを枢設定位し、前記キャリアの前端縁はノッチを設置し、前記キャリア中間に容置空間を形成し、前記容置空間は、承体を嵌入定位し、且つ、前記キャリアは前記凹槽上方に定位し、前記凹槽の下方は収納空間を形成することを特徴とするバックル。
【請求項６】
前記キャリアの容置空間はC字型フックを塞入して、前記承体を定位することを特徴とする請求項１、或いは、５に記載のバックル。
【請求項７】
ベルトのバックルであって、前記バックルの端面は凹槽を形成し、前記凹槽はキャリアを枢設定位し、且つ、前記凹槽は更に窪んだ形態で、前記凹槽の空間を増加し、前記キャリアは前記凹槽の上方に吸付定位し、前記キャリアの下方の位置する凹槽は収納空間を形成し、前記凹槽の下方の前記収納空間は物品を容置することを特徴とするバックル。
【請求項８】
ベルトのバックルであって、前記バックルの端面は弧状の凹槽を形成し、前記凹槽はキャリアを枢設定位し、前記キャリアの上半部は開口槽を形成し、円形の承体を前記キャリア上半部の開口槽から挿入して固定することを特徴とするバックル。
【発明の詳細な説明】
【技術分野】
【０００１】
本発明はベルトのバックルに関し、詳細には、バックルの端面はキャリアの自由翻転が出来、且つ、キャリアは容置空間を形成して、承体が自由に嵌入、或いは、取り出しができるバックルに関する。
【背景技術】
【０００２】
経済の発展と共に、消費者の購買意欲を高めるため、製造業は様々な研究開発に取り組み、各種物品が開発されている。一年の各種祝い事や会社やサークルのイベントなどで贈り物をする習慣もあり、各種物品中、ベルトは実用的な品物である。公知のベルトは図１で示されるように、ベルト体１１の一端にバックル１２を固設し、ベルト体１１のもう一端はバックル１２を穿過して定位し、ベルト締結の効果を達成し、ズボンを定位される。一般に、ベルト製造業者はベルト体１１の材質、バックル１２の固定方式、或いは、形状により変化をつけており、ある業者はバックル１２の端面にパターンを印刷して、美観やメーカーのロゴとしている。このような構造は要求される目的を達成してはいるが、ベルト１の有すべき功能だけであり、その他の用途はない。よって、現代の消費者は一つのものに多くの機能を要求する趨勢があるので、購買意欲が高まらず、その功能性を高めることが必要である。
【発明の開示】
【発明が解決しようとする課題】
【０００３】
本発明は、バックルの端面に凹槽を有してキャリアを枢設定位し、且つ、キャリアは自由に翻転し、キャリア端頭はノッチを形成すると共に、容置空間を有し、承体を容置定位し、同時に、承体は容置空間で自由に嵌入、或いは、取り出しできるようなベルトのバックルを提供することを目的とする。
【課題を解決するための手段】
【０００４】
図二、図三で示されるように、本発明のバックル２は端面に凹槽２１を形成し、凹槽２１の二側辺はそれぞれ対応する開口２２を有し、且つ、凹槽２１はキャリア３を枢設定位し、キャリア３は凹槽２１で自由に翻転、或いは、平坦になり、図中、キャリア３は中空の環状体で、且つ、キャリア３周辺は、外が大きく、内が小さい斜面を有し、内側は磁石３１を有して、キャリア３が凹槽２１内で平坦になるとき、磁石３１と凹槽２１内の対応する磁石２３は吸付して固定し、キャリア３が揺れるのを防止する。キャリア３前端縁はノッチ３２を有し、キャリア３中間に容置空間３３を形成し、C字型フック４はノッチ３２から塞入され、C字型フック４は容置空間３３内の外縁に塞設される。容置空間３３は承体５を嵌入し、承体５は扁平な環状体で、その厚さはノッチ３２と同じで、一端面、或いは、二端面はパターン５１を有し、美観を高めたり、或いは、製造者のロゴを取り入れる。その組み合わせは、承体５をノッチ３１から挿入し、承体５の下縁とC字型フック４が接触した後、C字型フック４の開口は少し開き、承体５を容置空間３３に円滑に嵌入すると共に、C字型フック４により承体５の環側に設置し、承体５は固定状態になり、容置空間３３から抜けない。実施上、キャリア３は中空環状体に限定されず、正方形、長方形、多角形、或いは、菱形やその他の異なる形状でもよい。
【０００５】
本発明のバックル２は、端面の凹槽２１でキャリア３を枢設するので、キャリア３の容置空間３３は承体５の嵌入を提供し、ベルト装着者は、承体５を使用する場合、例えば、ゴルフの時、同組のプレーヤーがボールをグリーンに打った後、距離が遠い者から先にプレイするので、ホールが近い者は、扁平の硬貨をボールの後縁に貼って表記してからボールを取って、プレーヤーの芝の状態を観察することやグリーンの坂を見る視線を妨害しないようにしなければならないので、あるプレーヤーは帽子に吸力を有するクリップを備えて、扁平な硬貨をクリップ上に吸付して、帽子を脱いでクリップから硬貨を取り外し、使用後、硬貨をクリップ上に吸付して戻し、終了後は、クリップを帽子から外し、帽子を洗浄し、且つ、次に使用する際はクリップの携帯を忘れないようにしなければならないので、その使用は非常に面倒である。あるプレーヤーは、ポケットに硬貨を入れておいて、グリーン上で使用するが、忘れる可能性がある。また、現在のビルはセキュリティのため、カード方式で出入を制御管理し、エレベータもカードがないと動かない場合もある。これらのチップカードは環状の扁平体に設計されている。この他、多くの人がショッピングモールで、カートを利用するが、使用者が元の場所に返却しないことが生じるのを防止するため、鎖で繋がれ、硬貨を挿入して鎖から外し、使用後は元の場所に戻して、硬貨を取り戻すようなシステムになっている。よって、硬貨を持っていないとカーとが使用できなかったり、というような状況も生じる。このような状況時、本発明の承体５は、扁平の環状体で硬貨と相同であり、よって、指で凹槽２１の二側辺の開口２２からキャリア３外縁の斜面を押さえ、外に施力すれば、キャリア３は凹槽２１から円滑に翻転し、続いて、図４で示されるように、指で承体５の端面をノッチ３２方向に推動し（或いは、二側端面で挟束する）、承体５を利用してC字型フック４の開口を拡張し、承体５を円滑にキャリア３内から取り出すことができ、承体５の扁平の硬貨状により硬貨を代替することができる。即ち、本発明の承体５は、端面がパターン５１を有して外観を向上させたり、ロゴとする以外に、硬貨の代替品となり、使用者は硬貨がないときに生じる面倒がない。或いは、キャリア３の容置空間３３を出入カードの容納箇所として、携帯に便利で、バックルの使用功能を増加させる。
【０００６】
また、実施上、承体５はエネルギーを発する鉱石、或いは、宝石で、バックルは一般に臍に接近していて、臍は華人でいう丹田の位置で、長期使用で、使用者は鉱石や宝石の発するエネルギーを吸収しやすく、健康を促進し、且つ、承体５は自由に取り出し、塞入できる状況下で、季節、体質、或いは、異なる要求下で、適時に要求される鉱石や宝石を交換することができる。この他、承体５の端面のパターンは、サークルやチームの標章にして、チームに結束感を与え、他人にも関係する団員であることが分かり、また、承体５上に字体やパターンを印刷して、試合の名称を入れて、現行のトロフィの代わりにすることもできる。これにより、実用価値を有するだけでなく、トロフィが多すぎて収蔵できない問題も解決し、或いは、承体５端面に親しい人の写真を貼って楽しむことも出来る。
【０００７】
図５、図６で示されるように、キャリア３の凹槽２１内の固定力を増加させるため、磁石３１以外に、キャリア３の周面の適切な箇所に凹孔３４を設け、凹槽２１の周壁の対応箇所に、珠体２４を嵌設し、珠体２４内側はスプリングにより抵接し、この構造は公知技術の構造であるので図示しない。キャリア３が凹槽２１に戻る時、キャリア３の嵌入に従って、珠体２４は内頂し、凹孔３４と珠体２４が相対するとき、スプリングの弾力により、珠体２４を凹孔３４内に嵌入して拘束力を形成し、キャリア３の凹槽２１内での移動を防止し、キャリア３を定位させる。この他、凹槽２１の二側は開口２２を設けず、一側辺に滑動するブロック２６を設け、ブロック２６前側は斜面で、ブロック２６がキャリア３に向かって推動した後、ブロック２６前端の斜面の滑動に伴い、キャリア３周辺は対応する斜面下で、キャリア３は上頂し、キャリア３は凹槽２１内から起きる。前述の構造は一実施例であり、実施上、その他の方式を用いてもよい。
【０００８】
図７を再度参照すると、承体５の端面はパターン５１を描く以外に、その端面に突出物６を設置してもよく、図中の突出物６はダイヤモンドを例とし、その他の宝石や金属でもよく、これにより、ベルト全体の価値観を向上させ、高級ギフトとすることもできる。実施上、突出物６は立体設計で、ニーズに応じて多様化できる。図８で示されるように、キャリア３のノッチ３２にノッチ槽３５を形成し、これにより、突出物６はノッチ槽３５の設置により、承体５はキャリア３で自在に取り出し、嵌入定位できる。且つ、承体５旋転の後、図９で示されるように、突出物６はノッチ槽３５と対応せず、これにより、キャリア３が凹槽２１から起きて、突出物６が容置空間から脱落しないようにし、効果的に、承体５のキャリア３内での脱落を防止する。
【０００９】
図１０を参照すると、実施上、凹槽２１は図３で示される凹槽より深く、凹槽２1の空間を増加し、凹槽２１の相対箇所に、磁石２３を有する柱体２５を形成し、キャリア３が凹槽２１の上方で固定され、キャリア３下方の凹槽２１で収納空間を形成する。凹槽２１下方の収納空間は小さい体積の物品を収納でき、使用者が必要時にすぐ取り出せ、例えば、ゴルフの折り畳み式小型フォーク状の器具７で、通常はキャディが処理しているが、ある試合では選手自身がゴルフバッグを担ぎ、ボールを打った後の処理をしている。本発明の収納空間はこの器具７を容置し、選手は使用上便利である。或いは、図１１で示されるように、キャリア３内側端面に磁石３１を設置し、凹槽２１の相対箇所に、磁石２３を有する柱体２５を形成し、キャリア３が凹槽２１上方に吸付定位し、キャリア３下方の凹槽２１に収納空間を形成し、且つ、凹槽２１周囲の壁面は凹孔を有し、凹孔内にスプリングにより突出した珠体２７を容置し、凹槽２１下方の収納空間に湾折できる鍵８を設置し、珠体２７の空間を利用し、鍵８を安定して定位させる。鍵８はチップを含まないスペアキーで、これにより、臨時停車でエンジンを止めない時、スペアキー８でドアを閉め、エンジンの運転を維持することができる。これにより、天気が熱く、こどもを車内に残す時、車内は快適な温度を維持でき、且つ、ドアが閉鎖されているので、誰かに連れ去られる恐れも無く、車と子供の安全を確保することができる。この他、ホテルに車を預ける時、チップを有さないスペアキーをホテルマンに渡すので、チップのコピーを防止し、車の盗難を防ぐ。
【００１０】
図１２、図１３で示されるように、実施上、キャリア３は環形体に制限されず、その他の形状にも設計できる。図中のキャリア３は直方体で、容置空間３３は承体５を設置し、且つ、凹槽２１が下にくぼみ、キャリア３下方の凹槽２１が収納空間を形成して、携帯電話のバッテリー９を収納し、現在の携帯電話のバッテリー９はどれも非常に薄小なので、バッテリー９を簡単に放入でき、別に収納空間を用意しなくてもよく、また、取り出すのも便利である。
【００１１】
図１４、図１５で示されるように、承体５は円形体で、図中では小型のサッカーボールを例とし、凹槽２１は下にくぼんだ弧状で、且つ、キャリア３の上半分は開口槽３６を形成し、これにより、承体５は開口槽３６から入れて、C字型フック４により円形の承体５の二側辺を固定し、円形の承体５を固定する。実施上、野球でもバスケットボールでも、その他の球形でもよい。これにより、大型の試合があるとき、主催者は符合する造型のベルト商品を用意して参加者を引き付け、試合の雰囲気を高めることができる。
【発明の効果】
【００１２】
多目的に使用できるベルトバックルが提供される。
【発明を実施するための最良の形態】
【００１３】
本発明のベルトのバックルは、端面が凹槽を形成し、キャリアを枢設定位し、且つ、キャリアは自由に翻転し、前記キャリアの端頭はノッチを形成すると共に、容置空間を有し、承体の容置定位を提供する。承体は容置空間に位置すると共に、自由に嵌入、或いは、取り出しできる。
【図面の簡単な説明】
【００１４】
【図１】公知のベルトのバックルの立体図である。
【図２】本発明の好ましい実施例の立体図である。
【図３】図１の分解図である。
【図４】図１の作動図である。
【図５】本発明のもう一つの実施例の立体図である。
【図６】図５の断面図である。
【図７】本発明の更にもう一つの実施例の立体図である。
【図８】図７の展開図である。
【図９】図７の承体旋転後の図である。
【図１０】本発明のもう一つの実施例の分解図である。
【図１１】本発明のもう一つの実施例の分解図である。
【図１２】本発明のもう一つの実施例の立体図である。
【図１３】図１２の分解図である。
【図１４】本発明のもう一つの実施例の分解図である。
【図１５】図１４の断面図である。
【符号の説明】
【００１５】
１        ベルト
１１      ベルト体
１２      バックル
２        バックル
２１      凹槽
２２      開口
２３      磁石
２４      珠体
２５      柱体
２６      ブロック
２７      珠体
３        キャリア
３１      磁石
３２      ノッチ
３３      容置空間
３４      凹孔
３５      ノッチ槽
３６      開口槽
４        C字型フック
５        承体
５１      パターン
６        突出物
７        器具
８        鍵
９        バッテリー
【図１】
2008142105.tif 000003
【図２】
2008142105.tif 000004
【図３】
2008142105.tif 000005
【図４】
2008142105.tif 000006
【図５】
2008142105.tif 000007
【図６】
2008142105.tif 000008
【図７】
2008142105.tif 000009
【図８】
2008142105.tif 000010
【図９】
2008142105.tif 000011
【図１０】
2008142105.tif 000012
【図１１】
2008142105.tif 000013
【図１２】
2008142105.tif 000014
【図１３】
2008142105.tif 000015
【図１４】
2008142105.tif 000016
【図１５】
2008142105.tif 000017